【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
他の無線通信装置から、前記他の無線通信装置が送信することができる期間の一部を与えられ、前記他の無線通信装置との双方向通信を行う無線通信装置において、
前記他の無線通信装置から、複数のデータフレームを受信する受信手段と、
前記他の無線通信装置から受信した前記複数のデータフレームについての送達確認フレームを含む第１物理フレームと、前記他の無線通信装置を宛先とする複数のデータフレームを含む第２物理フレームとを生成する生成手段と、
前記他の無線通信装置から与えられた期間内に、前記第１物理フレームを第１の伝送レートで送信し、該第１物理フレームを送信してから一定期間が経過した後に第２の伝送レートで前記第２物理フレームを送信する送信手段とを備え、
前記第１物理フレームには、帯域を予約するための第１の帯域予約期間が記載されていて、
前記送信手段が前記第１物理フレームを送信することにより、前記第１物理フレームを送信する時点で設定されている帯域予約期間を延長することを特徴とする無線通信装置。
【請求項２】
前記第１の伝送レートで送信された物理フレームは、該第１の伝送レートをサポートする第１無線通信装置と、前記第１の伝送レートおよび前記第２の伝送レートをサポートする第２無線通信装置とによって受信可能であり、
前記第２の伝送レートで送信された物理フレームは、前記第２無線通信装置によって受信可能であることを特徴とする請求項１に記載の無線通信装置。
【請求項３】
前記第１物理フレームを送信する時点で設定されている帯域予約期間とは、前記受信手段が前記他の無線通信装置からＲＴＳフレームを受信し、前記送信手段が前記他の無線通信装置へＣＴＳフレームを送信することによって帯域が予約された期間であることを特徴とする請求項１または２に記載の無線通信装置。
【請求項４】
前記第１の帯域予約期間は、前記他の無線通信装置を宛先とする複数のデータフレームの送信、および前記他の無線通信装置を宛先とする複数のデータフレームについての送達確認状況を確認するのに必要な期間を含むことを特徴とする請求項１乃至３のいずれか１項に記載の無線通信装置。
【請求項５】
前記受信手段は、前記他の無線通信装置から、前記他の無線通信装置を宛先とする複数のデータフレームについての送達確認フレームと、さらに複数のデータフレームとを受信し、
前記受信手段で受信した送達確認フレームには、帯域を予約するための第２の帯域予約期間が記載されていて、
前記受信手段で受信した送達確認フレームは、前記第１の伝送レートで送信されることを特徴とする請求項１乃至４のいずれか１項に記載の無線通信装置。
【請求項６】
前記第１物理フレームは、Ｄｕｒａｔｉｏｎフィールドを有し、
前記Ｄｕｒａｔｉｏｎフィールドには、前記第１の帯域予約期間が記載されていて、
前記第１の帯域予約期間は、前記分与時間よりも短いことを特徴とする請求項１乃至５のいずれか１項に記載の無線通信装置。
【請求項７】
前記送信手段は、前記第１物理フレームを送信した後にデータフレームを送信するのではなく、前記他の無線通信装置から与えられた期間内に、前記他の無線通信装置を宛先とするデータフレームが無いことを通知するためのフレームを送信することを特徴とする請求項１乃至６のいずれか１項に記載の無線通信装置。
【請求項８】
他の無線通信装置から、前記他の無線通信装置が送信することができる期間の一部を与えられ、前記他の無線通信装置との双方向通信を行う無線通信方法において、
前記他の無線通信装置から、複数のデータフレームを受信し、
前記他の無線通信装置から受信した前記複数のデータフレームについての送達確認フレームを含む第１物理フレームと、前記他の無線通信装置を宛先とする複数のデータフレームを含む第２物理フレームとを生成し、
前記他の無線通信装置から与えられた期間内に、前記第１物理フレームを第１の伝送レートで送信し、
前記他の無線通信装置から与えられた期間内に、該第１物理フレームを送信してから一定期間が経過した後に第２の伝送レートで前記第２物理フレームを送信し、
前記第１物理フレームには、帯域を予約するための第１の帯域予約期間が記載されていて、
前記第１物理フレームを送信することにより、前記第１物理フレームを送信する時点で設定されている帯域予約期間を延長することを特徴とする無線通信方法。
【請求項９】
送信可能期間の一部を他の無線通信装置に与える無線通信装置において、
前記他の無線通信装置から、複数のデータフレームを受信する受信手段と、
前記他の無線通信装置から受信した前記複数のデータフレームについての送達確認フレームを含む第１物理フレームと、前記他の無線通信装置を宛先とする複数のデータフレームを含む第２物理フレームとを生成する生成手段と、
前記送信可能期間中に、前記第１物理フレームを第１の伝送レートで送信し、該第１物理フレームを送信してから一定期間が経過した後に第２の伝送レートで前記第２物理フレームを送信する送信手段とを備え、
前記第１物理フレームには、帯域を予約するための第１の帯域予約期間が記載されていて、
前記送信手段が前記第１物理フレームを送信することにより、前記第１物理フレームを送信する時点で設定されている帯域予約期間を延長することを特徴とする無線通信装置。
【請求項１０】
送信可能期間の一部を他の無線通信装置に与える無線通信方法において、
前記他の無線通信装置から、複数のデータフレームを受信し、
前記他の無線通信装置から受信した前記複数のデータフレームについての送達確認フレームを含む第１物理フレームと、前記他の無線通信装置を宛先とする複数のデータフレームを含む第２物理フレームとを生成し、
前記送信可能期間内に、前記第１物理フレームを第１の伝送レートで送信し、
前記送信可能期間内に、該第１物理フレームを送信してから一定期間が経過した後に第２の伝送レートで前記第２物理フレームを送信し、
前記第１物理フレームには、帯域を予約するための第１の帯域予約期間が記載されていて、
前記送信手段が前記第１物理フレームを送信することにより、前記第１物理フレームを送信する時点で設定されている帯域予約期間を延長することを特徴とする無線通信方法。
【請求項１１】
送信可能期間の一部である分与期間を他の無線通信装置に与える無線通信装置において、
前記他の無線通信装置へ、複数のデータフレームを送信する送信手段と、
前記複数のデータフレームについての送達確認フレームを含む第１物理フレームと、複数のデータフレームを含む第２物理フレームとを受信する受信手段とを備え、
前記送信手段は、前記第２物理フレームに含まれる複数のデータフレームについての送達確認フレームを含む第３物理フレームを送信し、
前記第３物理フレームには、帯域を予約するための第１の帯域予約期間が記載されていて、
前記第１の帯域予約期間は、前記送信可能期間の範囲内で設定され、
前記送信手段が前記第３物理フレームを送信することにより、前記第３物理フレームを送信する時点で設定されている帯域予約期間を延長するとともに、前記他の無線通信装置へ分与期間を前記第１の帯域予約期間付与する無線通信装置。
【請求項１２】
前記送信可能期間は、継続してフレームを送信することができる期間の上限値と等しいことを特徴とする請求項１１に記載の無線通信装置。
【請求項１３】
送信可能期間の一部である分与期間を他の無線通信装置に与える無線通信方法において、
前記他の無線通信装置へ、複数のデータフレームを送信し、
前記複数のデータフレームについての送達確認フレームを含む第１物理フレームと、複数のデータフレームを含む第２物理フレームとを受信し、
前記第２物理フレームに含まれる複数のデータフレームについての送達確認フレームを含む第３物理フレームを送信し、
前記第３物理フレームには、帯域を予約するための第１の帯域予約期間が記載されていて、
前記第１の帯域予約期間は、前記送信可能期間の範囲内で設定され、
前記第３物理フレームを送信することにより、前記第３物理フレームを送信する時点で設定されている帯域予約期間を延長するとともに、前記他の無線通信装置へ分与期間を前記第１の帯域予約期間付与することを特徴とする無線通信方法。